(57)【要約】酸素などの気体を吸収する吸収剤を収容した吸収剤含有容器であって、外部との間の通気性を確保しつつ、気体と反応して膨張するような吸収剤を収容でき、なおかつ径の小さい或いは径が小さくなるような吸収剤を漏れないように収容できる低コストの吸収剤含有容器を提供する。吸収剤含有容器１は、蓋体１１と、上面の開口２０が蓋体１１により塞がれ、内層に紙層５０を有する有底円筒状の容器本体１０と、を有する。蓋体１１は、外周部１１ａを上側に曲げ容器本体１１の内層に接触させた状態で開口２０に嵌め込まれている。容器本体１０の上端部１０ａは、蓋体１１の上から蓋体１１側に曲げられ蓋体１１の外周部１１ａを把持している。
2014203770.tif 000002
【特許請求の範囲】
【請求項１】
気体を吸収する吸収剤を収容した吸収剤含有容器であって、
蓋体と、
上面の開口が前記蓋体により塞がれ、有底円筒状の容器本体と、を有し、
前記蓋体は、外周部を上側に曲げ前記容器本体の内周層に接触させた状態で前記開口に嵌め込まれており、
前記容器本体の上端部は、前記蓋体の上から前記蓋体側に曲げられ前記蓋体の外周部を把持し、
前記容器本体の内周層又は前記蓋体の内層の少なくともいずれかに紙層が用いられている、吸収剤含有容器。
【請求項２】
前記容器本体は、紙層を有する、請求項１に記載の吸収剤含有容器。
【請求項３】
前記容器本体と前記蓋体は、無孔の水不透過層を有する多層紙からなる、請求項１又は２に記載の吸収剤含有容器。
【請求項４】
前記容器本体は、下面が開口した円筒部と、前記下面の開口を塞ぐ底部とを有し、
前記円筒部の下端部は、内側に曲げられ、
前記底部は、前記円筒部の下端部上に配置され、
前記円筒部と前記底部は、接着剤により接着されている、請求項１〜３のいずれかに記載の吸収剤含有容器。
【請求項５】
前記吸収剤は、乾燥剤及び／又は酸素吸収剤である、請求項１〜４のいずれかに記載の吸収剤含有容器。 
【発明の詳細な説明】
【技術分野】
【０００１】
本発明は、酸素などの気体を吸収する吸収剤を収容する吸収剤含有容器に関する。
【背景技術】
【０００２】
例えば食品、医薬品、医療品、化粧品、金属製品、電子製品などの酸化や吸湿による劣化を防止するため、それらの製品の包装体には、酸素吸収剤や乾燥剤が一緒に入れられる。製品の包装体は、用途に応じて袋状のものやボトル状のものがあるが、ボトル状のものの場合は、入口が狭いため、乾燥剤や酸素吸収剤は、投入し難い袋状のものではなく、一定形状を有する小型の容器（キャニスター容器）に収容されて包装体に投入されている（特許文献１参照）。酸素吸収剤や乾燥剤は、製品の包装体内の酸素や水蒸気を除去するものであるため、そのキャニスター容器は、外部との間で通気性があることが必須となる。
【先行技術文献】
【特許文献】
【０００３】
【特許文献１】特開２００３−３１２７２９号公報
【発明の概要】
【発明が解決しようとする課題】
【０００４】
ところで、上述のキャニスター容器には、図６（ａ）、（ｂ）に示すように紙蓋型のものと通気孔蓋型のものがある。図６（ａ）に示す紙蓋型の容器１００は、容器本体１０１が樹脂成型され、蓋１０２が通気性のあるボール紙になっている。酸素吸収剤などの吸収剤Ａを収容する際には、吸収剤Ａを容器本体１０１に過充填して圧縮し、その後容器本体内１０１に蓋１０２を落とし、その後容器本体１０１の上端の爪部１０３を内側に曲げて蓋１０２を挟み込んで固定している。この紙蓋型の容器１００には、吸収剤Ａがフル充填（隙間なく充填）されるため、例えば酸化カルシウムのように、水蒸気を含んだ外気と接触した時に当該水蒸気と反応して体積が膨張するような吸収物には使用できない。【０００５】
一方、図６（ｂ）に示す通気孔蓋型の容器２００は、容器本体２０１と蓋２０２が樹脂成型され、互いに接着されている。容器本体２０１の底部と蓋２０２には、通気孔２０３が開けられている。この通気孔蓋型の容器２００は、吸収剤Ａが必ずしもフル充填されないため、水蒸気と反応して体積が膨張するような吸収剤にも使用できるが、上下に通気孔２０３が開いているため、径が小さい吸収剤や、割れて微粉になるような吸収剤は通気孔２０３から漏れる可能性があるため使用できない。【０００６】
また、上述の容器１００、２００は、容器本体が樹脂で成型されるため、全体としてコストが高くなる。【０００７】
本発明はかかる点に鑑みてなされたものであり、酸素などの気体を吸収する吸収剤を収容した吸収剤含有容器であって、外部との間の通気性を確保しつつ、気体と反応して膨張するような吸収剤を収容でき、なおかつ径の小さい或いは径が小さくなるような吸収剤を漏れないように収容できる低コストの吸収剤含有容器を提供することをその目的とする。
【課題を解決するための手段】
【０００８】
上記目的を達成するための本発明は、気体を吸収する吸収剤を収容する吸収剤含有容器であって、蓋体と、上面の開口が前記蓋体により塞がれ、有底円筒状の容器本体と、を有し、前記蓋体は、外周部を上側に曲げ前記容器本体の内周層に接触させた状態で前記開口に嵌め込まれており、前記容器本体の上端部は、前記蓋体の上から前記蓋体側に曲げられ前記蓋体の外周部を把持し、前記容器本体の内周層又は前記蓋体の内層の少なくともいずれかに紙層が用いられている吸収剤含有容器である。【０００９】
上記の構成によれば、外部との間の通気性を確保しつつ、気体と反応して膨張するような吸収剤を収容でき、なおかつ径の小さい或いは径が小さくなるような吸収剤を漏れないように収容できる低コストの吸収剤含有容器を実現できる。【００１０】
前記容器本体は、紙層を有するものであってもよい。【００１１】
前記容器本体と前記蓋体は、無孔の水不透過層を有する多層紙からなるものであってもよい。かかる場合、容器内の水分が容器の外部に漏れるのを抑制できる。これにより、吸収時に水分を必要とするような吸収剤に本発明の吸収剤含有容器を好適に用いることができる。【００１２】
前記容器本体は、下面が開口した円筒部と、前記下面の開口を塞ぐ底部とを有し、前記円筒部の下端部は、内側に曲げられ、前記底部は、前記円筒部の下端部上に配置され、前記円筒部と前記底部は、接着剤により接着されていてもよい。かかる場合、容器本体を簡単に製造でき、コストを低減できる。【００１３】
前記吸収剤は、乾燥剤及び／又は酸素吸収剤であってよい。
【発明の効果】
【００１４】
本発明によれば、酸素などの気体を吸収する吸収剤を収容した吸収剤含有容器であって、外部との間の通気性を確保しつつ、気体と反応して膨張するような吸収剤を収容でき、なおかつ径の小さい或いは径が小さくなるような吸収剤を漏れないように収容できる低コストの吸収剤含有容器を提供できる。
【図面の簡単な説明】
【００１５】
【図１】吸収剤含有容器の概略を示す斜視図である。
【図２】吸収剤含有容器の構成を示す縦断面の説明図である。
【図３】蓋体の斜視図である。
【図４】蓋体と容器本体の取り付け部の拡大図である。
【図５】蓋体と同じ構成の底部を有する吸収剤含有容器の縦断面の説明図である。
【図６】（ａ）は、紙蓋型のキャニスター容器を示し、（ｂ）は、通気孔蓋型のキャニスター容器を示す。
【発明を実施するための形態】
【００１６】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１７】
図１は、本実施の形態における吸収剤を収容する吸収剤含有容器１の構成の概略を示す斜視図であり、図２は、吸収剤含有容器１の縦断面図である。なお、本願明細書において、「吸収剤含有容器」を単に「容器」とも表す。また、本願明細書において、容器１の底側を下側とし、容器１の蓋側を上側とする。
【００１８】
図１及び図２に示す吸収剤含有容器１は、紙製であり、例えば円柱状の外形を有し、容器本体１０と、蓋体１１を備えている。なお、ここで紙製とは、主に紙により構成されていることを意味し、表面や内部層に樹脂フィルム層を有するものも含まれる。
【００１９】
容器本体１０は、例えば上面開口２０が蓋体１１により塞がれた有底の円筒形状を有している。蓋体１１は、図３に示すように薄い円盤状に形成され、容器本体１０の内径よりも大きな径の円板を曲げて形成されている。蓋体１１は、外周部１１ａが上方に曲げられている。蓋体１１は、図２に示すように外周部１１ａを容器本体１０の内周壁に接触させた状態で、上面開口２０に嵌め込まれている。
【００２０】
容器本体１０の上端部１０ａは、蓋体１１の上から蓋体１１側である内側に曲げられ、蓋体１１の外周部１１ａを把持している。このとき、容器本体１０の上端部１０ａの先端１０ｂは、容器１の外部に露出している。
【００２１】
容器本体１０は、例えば円筒部３０と底部３１を別体で有している。円筒部３０の下端部３０ａは、内側に曲げられている。底部３１は、蓋体１１と同様に、薄い円盤状に形成され、容器本体１０の内径よりも大きい径の円板の外周部３１ａを上方に曲げられて形成されている。底部３１は、円筒部３０内に嵌め込まれ、円筒部３０の下端部３０ａ上に配置されている。底部３１と円筒部３０の下端部３０ａは、接着剤４０により接着されている。
【００２２】
容器本体１０は、図４に示すように最内層に紙層５０を有する多層紙により構成されている。容器本体１０は、例えば内周から外周に向けて、紙層５０、無孔の水不透過性層としてのＰＰ（ポリプロピレン）層５１、紙層５２、及び水不透過性層としてのＰＥＴ（ポリエチレンテレフタレート）層５３により構成されている。また、蓋体１１は、例えば下側から上側に向けて、内層の紙層６０と外層のＰＰ層６１を有している。容器本体１０が紙層５０を有するものであるため、容器本体１０の上端部１０ａを折り曲げて蓋体１１の外周部１１ａを把持したときに、上端部１０ａの湾曲部と蓋体１１の先端部の間に狭小な隙間Ｑができる。また、折り曲げられた容器本体１０の上端部１０ａと蓋体１１との間には、狭小な隙間Ｒができる。この隙間Ｒは、少なくとも容器本体１０が紙質であるため、容器本体１０と蓋体１１が完全に密着しないことによる。なお、図４における隙間Ｑは、隙間Ｒに比べて大きいが、通気性を確保できれば足りるため、隙間Ｒと同程度の極めて狭小なものであってもよい。この結果、容器１の内部は、通気性のある容器本体１０の紙層５０又は蓋体１１の紙層６０を介して隙間Ｑに通じ、隙間Ｑから隙間Ｒを通って外部に通じている。加えて、容器本体１０の上端部１０ａの先端１０ｂが容器１の外部に露出しているので、容器本体１０の紙層５０を通じても、容器１の内部と外部が通じている。なお、容器本体１０の底部３１は、蓋体１１と同様に紙層とＰＰ層により構成されていてもよい。
【００２３】
以上のような構成の容器１を製造する際には、先ず、上面開口２０から容器本体１０内に所定量の酸素吸収剤などの吸収剤Ａが入れられる。次に、蓋体１１が、蓋体１１の外周部１１ａを容器本体１０の内周壁に接触させた状態で、上面開口２０に嵌め込まれる。このとき、蓋体１１は、容器本体１０の内周壁の所望の高さに設置される。例えば蓋体１は、吸収剤Ａの膨張を見越して吸収剤Ａから所定距離離れた上方に設置される。その後、容器本体１０の上端部１０ａが内側に曲げられ、蓋体１１の外周部１１ａが把持される。こうして吸収剤Ａが容器１内に収容される。
【００２４】
吸収剤Ａが収容された容器１は、例えば食品、医薬品、医療品などが入った密閉容器や密閉袋に入れられて使用される。
【００２５】
本実施の形態の容器１によれば、容器本体１０の上端部１０ａが内側に曲げられ蓋体１１の外周部１１ａを把持しているので、容器本体１０と蓋体１１との間に隙間Ｑ、Ｒができる。そして、容器本体１０の内周層に紙層５０を用い、蓋体１１の内層に紙層６０を用い、それらの紙層５０、６０が隙間Ｑに露出しているので、紙層５０、６０、隙間Ｑ及び隙間Ｒを介して容器１の内部と外部の間の通気性を確保できる。また、蓋体１１の外周部１１ａが容器本体１０の内周壁に接触しつつ上面開口２０に嵌め込まれており、蓋体１１を容器本体１０の任意の高さに設置できる。これにより、吸収剤Ａの上面よりも高い位置で蓋体１１を留めることができ、気体と反応して膨張するような吸収剤Ａも好適に収容できる。さらに、容器本体１０の上端部１０ａが蓋体１１の外周部１１ａを把持しているので、径の小さい或いは径が小さくなるような吸収剤Ａを漏れないように収容できる。また、容器本体１０と蓋体１１に紙層を用いているので、低コストの容器１を実現できる。
【００２６】
特に、本実施の形態では、容器本体１０の内周層に紙層５０を用いたので、紙層５０を介して直接的に容器１の内部と外部が連通し、通気性をより確実に確保できる。
【００２７】
さらに、本実施の形態では、容器本体１０が、形状の追従性が低い紙層を有するので、上端部１０ａを曲げたときに容器本体１０と蓋体１１との間に隙間Ｑ、Ｒができやすく、容器１の内部と外部の通気性を向上できる。なお、容器本体１０の内周層と蓋体１１の上層の材質が異なる場合には、互いの密着性が下がるため、隙間ができやすく好ましい。
【００２８】
容器本体１０と蓋体１１は、無孔の水不透過層を有する多層紙からなるものであるので、容器１内の水分が容器１の外部に漏れるのを抑制できる。これにより、吸収時に水分を必要とするような吸収剤Ａに容器１を好適に用いることができ、かかる場合、吸収剤Ａの寿命や吸収効率を向上できる。
【００２９】
容器本体１０は、下面が開口した円筒部３０と、下面の開口を塞ぐ底部３１とを有し、円筒部３０の下端部３０ａは、内側に曲げられ、底部３１は、円筒部３０の下端部３０ａ上に配置され、円筒部３０と底部３１は、接着剤４０により接着されている。これにより、容器本体１０を簡単に製造でき、コストを低減できる。
【００３０】
また、本実施の形態では、図４に示したように容器本体１０の上端部１０ａが蓋体１１の外周部１１ａを把持しており、蓋体１１が上に動くための隙間Ｑがあるので、仮に吸収剤Ａが膨張して蓋体１１を上方に押すことがあったとしても、蓋体１１が上方に移動し、吸収剤Ａの膨張に対応できる。
【００３１】
以上の実施の形態で記載した容器１の寸法は、例えば高さが５ｍｍ〜１００ｍｍ、好ましくは８ｍｍ〜８０ｍｍであってもよく、外径が５ｍｍ〜５０ｍｍ、好ましくは８ｍｍ〜３０ｍｍであってもよい。
【００３２】
吸収剤Ａは、気体を吸収するものであれば特に限定されないが、気体と反応して膨張するものであってもよい。例えば水蒸気と反応して膨張する乾燥剤や、酸素と反応して膨張する酸素吸収剤であってもよい。また、吸収剤Ａの大きさは特に限定されず、粒径が０．１ｍｍ以下の粉体や粒径が０．１〜１０ｍｍ程度の粒体を用いることが出来るし、前記粉体や粒体を錠剤等の形状に成型した成型体を用いることも出来る。粉体や粒体の粒径としては、容器１への投入時に０．１μｍ〜３０００μｍのものが好ましく、１μｍ〜１５００μｍのものがより好ましく、さらに５μｍ〜１０００μｍのものがより好ましい。
【００３３】
吸収剤Ａとしての乾燥剤の種類に特に制限はないが、水分を吸着するとともに、水分吸着後も固体状態を保持できるものが好ましい。本容器では、水蒸気と反応して膨張したり微細化する乾燥剤でも好適に用いることが出来る。このような乾燥剤として、例えば、ＭｇＯ、ＣａＯ、ＢａＯ等のアルカリ土類金属酸化物、等が挙げられる。これらの乾燥剤は、水との反応によって膨張する為、錠剤等に成型した場合でも成型体の形状が崩れ、１〜３μｍ程度の微粉を生じる場合がある。この場合でも、容器１を用いることで固形物Ａの漏れを防ぐことができる。
【００３４】
吸収剤Ａとしての酸素吸収剤（脱酸素剤）は、酸化反応または吸着などにより空気中の酸素を除去する機能を有している組成物であれば特に限定されない。例えば、鉄粉等の金属粉、鉄化合物等の還元性無機物質、多価フェノール類、多価アルコール類、不飽和脂肪酸化合物、アスコルビン酸又はその塩等の還元性有機物質、炭素−炭素不飽和結合を有する樹脂及び／又はオリゴマーと遷移金属触媒を含有する樹脂組成物、又は金属錯体等を酸素吸収反応の主剤とする酸素吸収剤組成物が用いられる。これらの中でも、脱酸素性能に優れた鉄粉を主剤とする酸素吸収剤組成物が好ましく、特に主剤の鉄粉と酸素吸収反応を促進する金属ハロゲン化物からなる酸素吸収組成物が、脱酸素性能に優れる。酸素吸収剤組成物に用いられる鉄粉としては、脱酸素反応を起こすことができるものであれば特に制限はなく、通常酸素吸収剤として用いられる鉄粉が使用できる。酸素吸収剤組成物に用いられる金属ハロゲン化物には特に制限はなく、例えば、アルカリ金属又はアルカリ土類金属の塩化物、臭化物、ヨウ化物等を挙げることができる。
【００３５】
以上、添付図面を参照しながら本発明の好ましい実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３６】
例えば以上の実施の形態では、容器本体１０の内周層と蓋体１１の内層に紙層５０、６０を用いていたが、そのいずれかのみに紙層を用いてもよい。例えば容器本体１０の内周層のみに紙層５０を用いて、蓋体１１の内層は、水不透過性のＰＰ層などの他の種の層にしてもよい。この場合、蓋体１１に紙層を全く用いなくてもよい。また、蓋体１１の内層のみに紙層６０を用いて、容器本体１０の内周層は、他の種の層にしてもよい。この場合、容器本体１０の内周層に水不透過性のＰＰ層を用い、その外層に紙層を用いてもよい。また、この場合、容器本体１０に紙層を全く用いなくてもよい。これらのいずれの場合も、容器本体１０又は蓋体１１のいずれかの紙層、隙間Ｑ及び隙間Ｒを介して容器１の内部と外部の間の通気性を確保できる。なお、容器本体１０の内周層を紙層５０とした場合には、紙層５０を介して直接的に容器１の内部と外部の通気性を確保できる。
【００３７】
また、例えば以上の実施の形態において、容器本体１０は、円筒部３０と底部３１が別体であったが、一体のものであってもよい。また、以上の実施の形態では、底部３１が接着剤４０により容器本体１０に接着されていたが、図５に示すように底部３１が、蓋体１１と同じ構成を有し、容器本体１０の下端部３０ａを内側に曲げて底部３１の外周部３１ａを把持していてもよい（容器１が上下対称）。さらに、容器本体１０は、４層であったが、紙層を備えていれば、層数や層の材質は任意に選択できる。また、蓋体１１も２層であったが、その層数や層の材質も任意に選択でき、蓋体１１には紙層があると好ましいがなくてもよい。
【００３８】
また、吸収剤Ａの例として、乾燥剤又は酸素吸収剤を主に示したが、それらに限定されるものではなく、他の吸収剤にも本発明は適用できる。また、吸収剤Ａとして、複数種類の吸収剤を容器１に収容した場合も本発明は適用できる。
【実施例】
【００３９】
（実施例１）
（脱酸素剤組成物の調製）
水２５ｇに塩化カルシウム２５ｇを溶解させた水溶液を粉末ゼオライト１５０ｇに含浸させ保湿剤を作成した。該保湿剤に、鉄粉（４５μｍ以下の粒子を５０質量%含む）１００ｇ、活性炭１ｇを加え、乳鉢で混合し、脱酸素剤組成物Aを得た。【００４０】
（吸収剤含有容器の作成）
脱酸素剤組成物Aを、本発明に係る図２の容器１と同様の構成を有するサンプルに１．２ｇ充填した。サンプルの寸法は、径φ１０ｍｍ×高さ２０ｍｍ、容器本体１０と蓋体１１の隙間ｄ（図４に示す）を１ｍｍとした。容器本体１０は、最内周層から順に、紙（上質紙、１００ｇ／ｍ２、１３０μｍ、日本製紙株式会社製）、ＰＰ（ポリプロピレン、ＧＨＣ、３０μｍ、三井化学東セロ株式会社製）、紙（上質紙、１００ｇ／ｍ２、１３０μｍ、日本製紙株式会社製）、ＰＥＴ（ポリエチレンテレフタレート、Ｅ５１００、１２μｍ、東洋紡株式会社製）を積層した。蓋体１１も、容器本体１０と同一構成とした。【００４１】
（脱酸素性能評価と固形物漏れ有無の評価）
温度２５℃、湿度調整なしの条件で、空気量１５０ｍｌのガスバリア性密閉容器内にサンプルを放置し、酸素濃度０．１体積％未満に到達した時間（脱酸素時間）を測定した。また、温度２５℃、湿度調整なしの条件で、空気量５００ｍｌのガスバリア性密閉容器内にサンプルを放置し、２４時間後のサンプルの酸素吸収量を測定した。さらに、該容器５個をポリ袋に入れ、手で１５秒間上下に振って、固形物漏れの有無を目視で評価した。これらの結果を表１に示す。【００４２】
（実施例２）
蓋体１１において最内層の紙の積層を省略し、最内層から順に、ＰＰ、紙、ＰＥＴの３層構造としたこと以外は、実施例１と同様にして脱酸素性能評価と固形物漏れ有無の評価を行った。これらの結果を表１に示す。【００４３】
（実施例３）
容器本体１０において最内周層の紙の積層を省略し、最内周層から順に、ＰＰ、紙、ＰＥＴの３層構造としたこと以外は、実施例１と同様にして脱酸素性能評価と固形物漏れ有無の評価を行った。これらの結果を表１に示す。【００４４】
（比較例１）
蓋体１１において、最内層の紙の積層を省略し、最内層から順に、ＰＰ、紙、ＰＥＴの３層構造としたこと以外は、実施例３と同様にして脱酸素性能評価と固形物漏れ有無の評価を行った。これらの結果を表１に示す。【００４５】
【表１】
2014203770.tif 000003
【００４６】
容器本体１０の内周層と蓋体１１の内層の少なくともいずれかに紙層を用いた実施例１〜３では、容器本体１０の内周層と蓋体１１の内層の両方にＰＰ層を用いた比較例１に比べ脱酸素時間が大幅に短く、２４時間後の酸素吸収量も大きく酸素吸収速度が高いことが明らかになった。容器本体１０の内周層と蓋体１１の内層の少なくともいずれかに紙層を用いた場合には、十分な通気性が確保できることが明らかになった。
【産業上の利用可能性】
【００４７】
本発明の吸収剤含有容器は、酸素などの気体を吸収する吸収剤を収容した吸収剤含有容器であって、外部との間の通気性を確保しつつ、気体と反応して膨張するような吸収剤を収容でき、なおかつ径の小さい或いは径が小さくなるような吸収剤を漏れないように収容する際に有用である。
【符号の説明】
【００４８】
１  吸収剤含有容器
１０  容器本体
１０ａ  上端部
１０ｂ  先端
１１  蓋体
１１ａ  外周部
２０  上面開口
３０  筒状部
３１  底部
４０  接着剤
５０  紙層
Ａ  吸収剤
Ｑ、Ｒ  隙間
【図１】
2014203770.tif 000004
【図２】
2014203770.tif 000005
【図３】
2014203770.tif 000006
【図４】
2014203770.tif 000007
【図５】
2014203770.tif 000008
【図６】
2014203770.tif 000009
【国際調査報告】
2014203770.tif 000010
2014203770.tif 000011
2014203770.tif 000012
2014203770.tif 000013